(57)【要約】      （修正有）【課題】視線集中を誘導して広告の効果を極大化し、作動騒音を減少しながら故障発生率を最小化することができる回転式エアー看板を提供する。【解決手段】回転式エアー看板は、本体１０、送風部２０、回転装置３０及び広告部４０を含む。本体１０は広告部４０の下側に設置され、上部に複数個の支持骨が備えられた支持円板１２が固定設置されて広告部４０の回転を支持し、側面に吸入口が形成され、送風部２０で送風が作動する際に外気が内部に吸い込まれる。送風部２０は、本体１０の内部に設置され、外気を吸いこんで広告部４０方向に風を送る。回転装置３０は、支持円板の下部に設置され、送風部２０から供給される風によって回転力を発生させる。広告部４０は、下部に複数個の支持骨が備えられた回転円板４２が組立設置され、回転円板４２は支持円板１２に支持されて回転装置３０によって回転できるように繋がって、送風部２０から供給される風によって回転及び膨脹される。【選択図】図２
0003231967.tif 000002
【実用新案登録請求の範囲】
【請求項１】
広告部の下側に設置され、上部に複数個の支持骨が備えられた支持円板が固定設置されて前記広告部の回転を支持し、側面に吸入口が形成され、送風部で送風が作動する際に外気が内部に吸い込まれる本体；
前記本体の内部に設置され、外気を吸いこんで前記広告部の方向に風を送る前記送風部；
前記支持円板の下部に設置され、前記送風部から供給される風によって回転力を発生させる回転装置；及び
下部に複数個の支持骨が備えられた回転円板が組立設置され、前記回転円板は前記支持円板に支持され、前記回転装置によって回転できるように繋がって、前記送風部から供給される風によって回転及び膨脹される前記広告部を含む回転式エアー看板。
【請求項２】
前記回転装置は、前記支持円板の下部に形成された収納ケースの内部に収納されて固定設置され、内部空間が形成された支持部材；
前記支持部材の一側下部に軸によって回転できるように結合され、前記送風部の出口となる前記送風部の上端部と隣接して配置され、前記送風部から供給される風によって回転される回転ファン；及び
前記支持部材の他側上部に回転できるように結合され、前記支持部材の内部空間で動力伝達手段を通じて前記回転ファンの軸と繋がって前記回転ファンの動力を受けて回転し、前記支持円板の中央を貫通して前記回転円板の中央と繋がって前記広告部を回転させる回転軸を含む請求項１に記載の回転式エアー看板。
【請求項３】
前記送風部は、前記広告部方向に風を送ることができる通路になる送風口が上側に向かって形成され、前記送風口の上端部に風が排出される出口が形成されたことを特徴とする請求項２に記載の回転式エアー看板。
【請求項４】
前記本体は、前記広告部方向に照明を照射することができる照明装置が内部に設置されたことを特徴とする請求項１に記載の回転式エアー看板。
【考案の詳細な説明】
【技術分野】
【０００１】
本考案は、回転式エアー看板に係り、より詳しくは、送風部から提供される強い風によって広告部を膨脹及び回転させることができるように構造が改良された回転式エアー看板に関する。
【背景技術】
【０００２】
一般に、エアー看板は空気を利用して広告文句が刻まれたエアーコラムを膨脹させて広告し、広告が必要ない時はエアーコラムを収縮させて保管することができて運搬と保管が容易であり、特に、街頭のように運搬が要求される場所で広く使われている。このようなエアー看板は、フレームと、フレームに附着して柔軟性を持つ材質からなるエアーコラム、及びフレームに備えられてエアーを送る送風機を含んで構成される。
【０００３】
最近、効果的な広告のためにエアーコラムを回転させることができる回転式エアー看板が使われている。これと係る従来技術として韓国登録特許第１０‐０８７２４０７号公報には、送風機が内蔵された固定部と、固定部の上端に回転できるように備えられる回転板、及び回転板を回転させるための減速モーターからなって減速モーターの回転力によって回転板が回転されて広告する回転式エアー看板が公開されている。
【０００４】
しかし、上述した従来の技術は固定部に減速モーターを設置するための空間を別途形成しなければならず、外部の影響などによって回転板が回転できないと減速モーターに負荷がかかって故障の原因になるので、故障発生率が高い構造的問題がある。
【先行技術文献】
【特許文献】
【０００５】
【特許文献１】韓国登録特許第１０‐０８７２４０７号公報
【考案の概要】
【考案が解決しようとする課題】
【０００６】
本考案は、送風部から提供される強い風によって広告部を膨脹及び回転させることで、視線集中を誘導して広告の効果を極大化し、作動騷音を減少しながら故障発生率を最小化することができる回転式エアー看板を提供することにその目的がある。
【課題を解決するための手段】
【０００７】
本考案は、広告部の下側に設けられ、上部に複数個の支持骨が備えられた支持円板が固定設置されて広告部の回転を支持し、側面に吸入口が形成され、送風部で送風が作動する際に外気が内部に吸い込まれる本体；前記本体の内部に設置され、外気を吸いこんで広告部の方向に風を送る送風部；前記支持円板の下部に設置され、前記送風部から供給される風によって回転力を発生させる回転装置；及び下部に複数個の支持骨が備えられた回転円板が組立設置され、回転円板は支持円板に支持されて回転装置によって回転できるように繋がって、前記送風部から供給される風によって回転及び膨脹される広告部を含む回転式エアー看板を提供する。
【考案の効果】
【０００８】
本考案によると、送風部から提供される強い風によって広告部を膨脹及び回転させることで、視線集中を誘導して広告効果を極大化し、作動騷音を減少しながら故障発生率を最小化することができる効果がある。
【図面の簡単な説明】
【０００９】
【図１】本考案による回転式エアー看板の斜視図である。
【図２】本考案による回転式エアー看板の分離斜視図である。
【図３】本考案による回転式エアー看板の内部を図示した断面図である。
【図４】本考案による回転式エアー看板の回転装置を図示した斜視図である。
【図５】本考案による回転式エアー看板の作動状態を示す断面図である。
【考案を実施するための形態】
【００１０】
以下、添付の図面を参照して本考案の好ましい実施例について詳細に説明する。本考案を説明するにあたり、既に公知された機能若しくは構成に対する説明は本考案の要旨を明確にするために省略する。
【００１１】
本考案による回転式エアー看板は、図１〜図４に図示されたように、本体１０、送風部２０、回転装置３０及び広告部４０を含む。
【００１２】
本体１０は広告部４０の回転を支持する。すなわち、本体１０は広告部４０の回転を支持する構造を有する。本体１０は側面に吸入口が貫通して形成され、送風部２０の送風作動の際に吸入口を通して外気が内部に吸い込まれる。
【００１３】
本体１０は上部に支持円板１２が固定設置される。支持円板１２は広告部４０を支持しながら広告部４０の下部に組立設置される回転円板４２の回転を支持するためのものである。支持円板１２は複数個の支持骨が離隔して形成され、支持骨と支持骨の間は風が通るように開放して形成される。
【００１４】
本体１０は広告部４０方向に照明を照射できるように照明装置１４が内部に設置され、夜中にも広告部４０に照明を提供することができる。
【００１５】
送風部２０は吸入口を通して本体１０の内部に外気を吸いこんで広告部４０の方向に送風する。すなわち、送風部２０は吸い込まれた外気によって強い風を形成して回転装置３０に回転力を発生させ、広告部４０に空気を供給して膨脹させることができるように構成される。このために、送風部２０は外気を吸いこんで広告部４０に送風する送風機で形成されることができ、送風部２０に電源を供給するためのバッテリーなどが内蔵されることができる。送風部２０には広告部４０方向に風を送ることができる通路になる送風口２２が上側に向かうように形成され、送風口２２は後述する回転装置３０に設けられた回転ファン３４と接して配置される。
【００１６】
回転装置３０は送風部２０から供給される風によって回転力を発生させるものであって、支持部材３２と、回転ファン３４及び回転軸３６を含んでなる。
【００１７】
支持部材３２は板状からなって、支持円板１２の下部に固定設置される。すなわち、支持円板１２の下部に収納ケースが結合され、収納ケースの内部に支持部材３２が収納されて固定設置され、支持部材３２は回転ファン３４と回転軸３６の回転を支持する機能をする。同時に、支持部材３２は内部空間が備えられ、内部空間に動力伝達手段（未図示）が設置される。
【００１８】
回転ファン３４は、支持部材３２の一側下部に軸を通じて回転できるように結合され、送風口２２の出口となる上端部と接するように配置される。回転ファン３４は、送風部２０の送風作動の際に送風口２２から供給される強い風によって回転する。
【００１９】
回転軸３６は支持部材３２の他側上部に回転できるように結合され、広告部４０の回転円板４２と繋がる。支持部材３２の内部空間において、回転軸３６は回転ファン３４の軸と動力伝達手段を通じて繋がって、回転ファン３４の動力を受けて回転される。この時、動力伝達手段は公知されたベルト、ギア、チェーンの中で選択されるいずれか一つからなってもよい。回転軸３６は本体１０の支持円板１２の中央を貫通して広告部４０の回転円板４２の中央に固定して結合される構造を有する。これによって、回転軸３６は動力伝達手段によって回転ファン３４の回転と連動して回転するようになり、回転軸３６と繋がった回転円板４２の回転によって広告部４０も回転するようになる。
【００２０】
広告部４０は送風部２０から供給される風によって膨脹及び回転される。このために、広告部４０は下部に回転円板４２が組立設置され、回転円板４２は本体１０の支持円板１２に回転できるように結合される。すなわち、回転円板４２は支持円板１２に対して回転する構造を有する。同時に、回転円板４２は複数個の支持骨が離隔して形成され、支持骨と支持骨の間は風が通るように開放して形成される。広告部４０は回転円板４２と支持円板１２の有機的回転結合構造によって本体１０に対して安定的に回転する。この時、広告部４０は送風部２０から供給される風によって膨脹されるように柔軟性を持つ材質からなって、チューブ状に形成される。
【００２１】
図５を参考して本考案による回転式エアー看板の作動について詳しく説明する。送風部２０が送風作動すれば本体１０の吸入口を通して外気が本体１０の内部に流入された後、送風口２２を通して強い風が回転装置３０の回転ファン３４に供給される。
【００２２】
そして、送風口２２の上端部と隣接して配置された回転ファン３４が風力によって回転するようになり、回転ファン３４の軸と動力伝達手段によって繋がった回転軸３６が回転され、これによって回転軸３６の上部と繋がった回転円板４２が回転されて広告部４０を回転させることができる。
【００２３】
また、広告部４０は送風部２０から供給される風によって膨脹される。すなわち、送風部２０から供給される風は、支持円板１２と回転円板４２を通過して広告部４０に供給され、これによって広告部４０は送風部２０から供給される風によって膨脹され、その表面に表示された広告内容を知らせることができる。
【００２４】
結局、本考案による回転式エアー看板は、送風部２０から供給される強い風によって広告部４０を膨脹及び回転させることによって、視線集中を誘導して広告効果を増大させ、作動騷音を減らしながら故障発生率を最小化することができる。
【００２５】
本考案において、前記実施形態は一つの例示であって、本考案がこれに限定されるものではない。本考案の請求範囲に記載された技術的思想と実質的に同一な構成を有し、同一な作用効果を奏するものは、如何なるものであっても本考案の技術的範囲に含まれる。
【符号の説明】
【００２６】
１０  本体
１２  支持円板
１４  照明装置
２０  送風部
２２  送風口
３０  回転装置
３２  支持部材
３４  回転ファン
３６  回転軸
４０  広告部
４２  回転円板
【図１】
0003231967.tif 000003
【図２】
0003231967.tif 000004
【図３】
0003231967.tif 000005
【図４】
0003231967.tif 000006
【図５】
0003231967.tif 000007